(57)【要約】【課題】枝チチ輪を簡単な操作で、確実に、しかも短時間に作ることが出来る枝チチ輪結び具の提供。【解決手段】上端に鉤を有する鉤棒を少なくとも３本、台座上に１列に並べ直立固定した枝チチ輪結び具。【選択図】図１
2007117073.tif 000002
【特許請求の範囲】
【請求項１】
軸の上端に、幹糸を引き掛けるための鉤を有する鉤棒を、少なくとも３本、台座上に１列に並べ、直立固定するように取り付けたことを特徴とする枝チチ輪結び具。
【請求項２】
台座上に一列に並んだ取付け孔に、鉤棒の高さを、手前から順次低くなるように取り付けたことを特徴とする請求項１に記載されている枝チチ輪結び具。
【請求項３】
取付棒の間隔を鉤の巾より狭くしたことを特徴とする請求項２に記載されている枝チチ輪結び具。
【発明の詳細な説明】
【技術分野】この発明は魚釣用仕掛作りにおける結びに関する。
【従来技術】
【０００１】この発明の対象である結びは、海外ではＤＲＰＰＥＲ  ＬＯＯＰ  ＫＮＯＴとかＢＬＯＯＤ  ＤＲＯＰＰＥＲ  ＬＯＯＰとか呼ばれ広く知られている。日本でも広く使われており、その結び方についても詳しく図示されているが、この結びについては無名である。この結びもチチ輪状であることからチチ輪と呼ぶ人もいるが、それでは用途も結び方も異なるこの結びと、糸の末端に結ばれるチチ輪と同呼称となり混同するので別の呼称が必要である。この結びは糸の末端に結ばれることはなく、糸の中間に枝として結ばれるチチ輪状の結びであることから、この結びを枝チチ輪結びと呼ぶことにした。
【０００２】枝チチ輪の結び方については、図５から図１０までの手順を示すワーク図で示されている。図５はＡ部の左右の糸を交差させて作った輪である。図６、図７、図８は交差したＢ、Ｃ部の中央を回転させて、中央の孔Ｄとその左右に撚り部Ｅ、Ｆを作る過程を示している。図９は糸Ａを２つ折にして孔Ｄに通した状態を示している。図１６はＢ’部とＣ’部を左右に引いて撚り部Ｅ、Ｆを引き締め枝チチ輪Ｄ、Ｌを完成させたことを示す図である。
【発明が解決しようとする課題】
【０００３】枝チチ輪結びの手順を手作業の種類で示すと、図５は輪作り、図６、図７、図８、の糸撚り、図９の糸通し、図１０の引き締めの４つの作業となる。いずれも簡単な手作業に見えるが、最初の輪作り以外には思わぬ難しさがある。糸撚り作業は２本の糸を回転する作業である。回転は片方の手でワークを半回転して他方の手に持ちかえて次の半回転を行う。撚り数が増えると糸抵抗が大きくなり指が滑りやすくなり中央の孔Ｄの維持が困難になる。次の糸通し作業も孔Ｄが潰れないように片手で摘み他方の片手でＡ部を２つ折にして孔Ｄに通さなければならない。最後の引き締め作業も一度に締めるとＡ部が抜けるのでＡ部を引出しながら数回に分けて締めることになる。それ故この発明の課題は、簡単な操作で、確実に、しかも短時間に枝チチ輪を結ぶ手助けとなる結び具の提供である。
【課題を解決するための手段】
【０００４】上記課題を解決するため、
【０００５】上端に糸を引き掛けるための鉤を有する鉤棒を、少なくとも３本台座上に１列に並べ直立固定した枝チチ輪結び具。
【０００６】上端に鉤を有する鉤棒を少なくとも３本、台座上に１列に並べ、その高さを順次低くなるように直立固定した枝チチ輪結び具。
【０００７】上端に鉤を有する鉤棒を少なくとも３本を、鉤巾より狭い間隔で一列に並べた取付孔に鉤棒の高さが手前から順次低くなるように取付けた枝チチ輪結び具。
【発明の効果】
【０００８】上記結び具を使うことにより、簡単な操作で、確実に、しかも短時間に枝チチ輪結びを作ることが出来る。
【実施例】
【０００９】図１は、この発明の実施例を示す斜視図である。符号１は鉤棒であって、軸２とその上端に形成されている鉤３とで構成されている。鉤棒は約直径１．５ｍｍの剛性の高い金属棒から作られている。台座４は鉤棒１を取付けるための台座であって５００ｇ程度の重量があればよい。台座４には５つの取付孔５が一列に並び形成されている。取付孔５の深さは手前から順次深くなっており、同じ長さの鉤棒の高さが順次低く取り付けられるようになっている。実施例には手前３個の取付孔に鉤棒が取付けられている。残り２つの取付孔は鉤棒の数を増やして撚り数を増やすときに使われる。符号６は台座の下に張られた滑り止めである。【００１０】次に実施例の使い方について説明する。先ず結び具を最初の鉤棒が手前になるように机上に置く。図６までの作業は簡単であるので従来通りに進め、図６以降は両手で図６のワークの左右の端を両手で持ったまま上下前後に動かして作業を進めるので、先ず、図６に示されたワークの持ち方から説明する。左右の端は親指を上にして親指と人差し指で摘む。指の間にある３本の糸をＡ、Ｂ、Ｃとする。ワークを結び具の上にかざし、ＢとＣの間に最初の鉤棒が入るようにワークを下げて上げるとＢが鉤に掛りＣだけが引き上げられる。次にＣが最初の鉤棒を越え２番と３番目の鉤棒の間に入るようにワークを前進させ下げる。この時、最初の鉤からＢが外れる。再びワークを引き上げると２番目の鉤にＣが掛りＢだけが引き上げられる。Ｂを３番目の鉤棒の前まで前進させ下げるとＣが外れＢとＣで鉤棒を挟んだ形となる。そのままワークを後退させＡを３番目の鉤に掛けワークを前進させるとＢとＣの間に孔が出来るのでそのまま上げるとＢとＣの間にＡが引き込まれ図９の形になるＡを鉤に掛けたままＢ’Ｃ’を左右に引けば枝チチ輪結びが完了する。実際の作業時間は１５秒以下である。
【図面の簡単な説明】
【００１１】
【図１】はこの発明の実施例を示す斜視図である。
【図２】は取付孔の深さを示す台座の断面図である。
【図３】は鉤の向きを示す平面図である。
【図４】は鉤棒の鉤巾を示した図である。
2007117073.tif 000003
【符号の説明】
１  鉤棒
２  軸
３  鉤
４  台座
５  取付孔
６  滑り止め
Ｌ  取付孔の間隔
Ｗ  鉤巾
Ａ  Ａ部
Ｂ  Ｂ部
Ｃ  Ｃ部
Ｄ  中央孔
Ｅ、Ｆ  左右撚り部
Ｍ  糸又は幹糸
ＤＬ  枝チチ輪
ＬＦ  左端
ＲＦ  右端
【図１】
2007117073.tif 000004
【図２】
2007117073.tif 000005
【図３】
2007117073.tif 000006
【図４】
2007117073.tif 000007
【図５】
2007117073.tif 000008
【図６】
2007117073.tif 000009
【図７】
2007117073.tif 000010
【図８】
2007117073.tif 000011
【図９】
2007117073.tif 000012
【図１０】
2007117073.tif 000013
【手続補正書】
【提出日】平成17年12月29日(2005.12.29)
【手続補正１】
【補正対象書類名】明細書
【補正対象項目名】００１１
【補正方法】変更
【補正の内容】
【００１１】【図１】はこの発明の実施例を示す斜視図である。【図２】は取付孔の深さを示す台座の断面図である。【図３】は鉤の向きを示す平面図である。【図４】は鉤棒の鉤巾を示した図である。【図５】はＡ部の左右の糸ＢＣを交差させて作った輪を示すワーク図である。【図６】は３本の糸ＡＢＣを平行に保ち操作するための摘み位置を示した図である。【図７】は２本の糸ＢＣの中央部を１回転させ中央孔の両側に撚りを作った図である。【図８】は中央孔部を３本目の鉤棒に掛けた状態を示すワーク図である。【図９】はＢＣ糸の中央孔にＡ部を引き込んだ状態を示すワーク図である。【図１０】は左右から撚りを引き締めて作られた枝チチ輪結びの完成図である。【符号の説明】１  鉤棒２  軸３  鉤４  台座５  取付孔６  滑り止めＬ  取付孔の間隔Ｗ  鉤巾Ａ  糸Ａ部Ｂ  糸Ｂ部Ｃ  糸Ｃ部Ｄ  中央孔Ｅ  左撚り部Ｆ  右撚り部Ｍ  糸又は幹糸ＤＬ  枝チチ輪ＬＦ  左端摘み位置ＲＦ  右端摘み位置図１の符号２を３に、３を２に変更する。図５の符号ＣをＢに、ＢをＣに変更する。【０００２】  ４行目の図１６を図１０に変更する。